(57)【特許請求の範囲】
【請求項１】
下蓋部の一端に、下蓋部上への折り重ねが可能な上蓋部が連接されていると共に、上蓋部との連接側とは対向する下蓋部の他端に、下蓋部上へ折り返すことで、上記折り重ねられる下蓋部と上蓋部の間へ挟み込まれる収納部が連接されており、
この収納部は、下蓋部に連接され、ディスクが載置される受け部と、収納部の下蓋部上への折り返し方向に対して受け部の両側に位置し、受け部上に折り返されて、受け部上のディスクを押える保持部と、受け部と保持部間に設けられ、保持部を受け部上に折り返した時に受け部上のディスクの一部が差し込まれることで、ディスクを上記載置位置に止めるスリットで構成されたディスク止め手段とを有することを特徴とするディスクケース。
【請求項２】
下蓋部の一端に、下蓋部上への折り重ねが可能な上蓋部が連接されていると共に、上蓋部との連接側とは対向する下蓋部の他端に、下蓋部上へ折り返すことで、上記折り重ねられる下蓋部と上蓋部の間へ挟み込まれる収納部が連接されており、
この収納部は、下蓋部に連接され、ディスクが載置される受け部と、収納部の下蓋部上への折り返し方向に対して受け部の両側に位置し、受け部上に折り返されて、受け部上のディスクを押える保持部と、受け部上へ折り返したときにディスク側となる保持部の側辺に設けられ、保持部を受け部上に折り返した時に受け部上のディスクの下に差し込まれることで、ディスクを上記載置位置に止める爪部で構成されたディスク止め手段とを有することを特徴とするディスクケース。
【請求項３】
上蓋部には、ほぼ中央部に外窓が設けられ、収納部のディスク載置位置には、下蓋部と上蓋部間に挟み込まれた時に上蓋部の外窓とほぼ重なる内窓が設けられていることを特徴とする請求項１又は２のディスクケース。
【請求項４】
下蓋部上に重ねた時の上蓋部の自由端側に綴じ込み代がとられており、保持部の一端部がこの綴じ込み代内に位置していて共に綴じ込まれるものであることを特徴とする請求項１又は２のディスクケース。
【請求項５】
ディスク止め手段が、収納部の受け部上に載置されるディスクの外周に沿って、保持部の受け部上への折り返しラインから保持部側に膨出する弧状に形成されたスリットであることを特徴とする請求項１のディスクケース。
【請求項６】
ディスクが袋に収容されており、ディスク止め手段が、収納部の受け部上に載置されるディスクを収容した袋のコーナー部外周に沿って、保持部の受け部上への折り返しラインから保持部側に突き出た鉤形に形成されたスリットであることを特徴とする請求項１のディスクケース。
【請求項７】
収納部の受け部が下蓋部の内側にやや食い込んで下蓋部に連接されていることにより、収納部の下蓋部上への折り返しラインが下蓋部の内側にやや食い込んだ位置に形成されていることを特徴とする請求項１又は２のディスクケース。
【請求項８】
下蓋部との連接側とは対向する収納部の端部に、収納部上へ折り返されることで、収納部上へ折り返された保持部を上から押える押え部が設けられていることを特徴とする請求項１又は２のディスクケース。
【請求項９】
１つの下蓋部に対して複数の収納部が並列して夫々連接されていることを特徴とする請求項１又は２のディスクケース。
【請求項１０】
下蓋部の両側部に、下蓋部上へ折り返された収納部側へ折り返されて当該収納部を抱える掩蓋片が設けられていることを特徴とする請求項１又は２のディスクケース。
【発明の詳細な説明】
【０００１】
【発明の属する技術分野】
本発明は、例えばコンパクトディスク（ＣＤ）、ミニディスク（ＭＤ）、レーザーディスク（ＬＤ）等の光ディスクを初めとして、レコード盤や磁気ディスク等のディスクを収納するための簡易なディスクケースに関する。
【０００２】
【従来の技術】
従来、ディスクを雑誌や書籍に付帯させる場合、持ち運び時のディスクの脱落や書店店頭でのディスクの抜き取り防止のため、雑誌や書籍に綴じ込まれた簡易なディスクケースにディスクを封入しておくことが行われている。このディスクケースとしては、ディスクの保護も兼ねて、厚紙製のものが多く使用されている。例えば、２枚の厚紙の一方の内面側にディスクを収納する凹部を形成すると共に、他方の厚紙にディスクの中央部を露出させる窓部を形成しておき、凹部の周囲に接着剤を塗布し、凹部内にディスクを入れた後、２枚の厚紙を貼り合わせて密封したものが知られている。また、貼り合わせた厚紙間からディスクを取り出しやすくするために、ディスクを収容する凹部部分を開封するためのミシン目を形成したものも知られている。
【０００３】
【発明が解決しようとする課題】
しかしながら、上記従来のディスクケースの場合は、収納したディスクの周囲を接着剤で貼り合わせることから、接着剤の塗布工程が必要となり、しかもディスクの収納部分を残して周囲に接着剤を塗布するために、接着剤の塗布工程が煩雑になる問題がある。また、接着剤を用いる場合、接着剤の乾燥状態に合わせて貼り合わせ作業を進める必要があり、ディスクの封入に手間がかかる問題がある。
【０００４】
本発明は、上記接着剤を用いて密封する方式の従来のディスクケースの問題点に鑑みてなされたもので、基本的に接着剤による封止を行うことなくディスクの脱落や抜き取りを確実に防止できるディスクケースとすることを目的とする。
【０００５】
【課題を解決するための手段】
このために本発明で講じられた手段を一実施例に対応する図１で説明すると、本発明では、下蓋部１の一端に、下蓋部１上への折り重ねが可能な上蓋部２が連接されていると共に、上蓋部２との連接側とは対向する下蓋部１の他端に、下蓋部１上へ折り返すことで、上記折り重ねられる下蓋部１と上蓋部２の間へ挟み込まれる収納部３が連接されており、この収納部３は、下蓋部１に連接され、ディスク４が載置される受け部５と、収納部３の下蓋部１上への折り返し方向に対して受け部３の両側に位置し、受け部３上に折り返されて、受け部３上のディスク４を押える保持部６と、受け部５と保持部６間に設けられ、保持部６を受け部５上に折り返した時に受け部上のディスク４の一部が差し込まれることで、ディスク４を上記載置位置に止めるスリット７で構成されたディスク止め手段とを有するディスクケースとしているものである。また、本発明は、図１５に示されるように、下蓋部１の一端に、下蓋部１上への折り重ねが可能な上蓋部２が連接されていると共に、上蓋部２との連接側とは対向する下蓋部１の他端に、下蓋部１上へ折り返すことで、上記折り重ねられる下蓋部１と上蓋部２の間へ挟み込まれる収納部３が連接されており、この収納部３は、下蓋部１に連接され、ディスク４が載置される受け部５と、収納部３の下蓋部１上への折り返し方向に対して受け部３の両側に位置し、受け部３上に折り返されて、受け部３上のディスク４を押える保持部６と、受け部５上へ折り返したときにディスク４側となる保持部６の側辺に設けられ、保持部６を受け部５上に折り返した時に受け部上のディスク４の下に差し込まれることで、ディスク４を上記載置位置に止める爪部１２で構成されたディスク止め手段とを有することを特徴とするディスクケースを提供するものでもある。
【０００６】
【発明の実施の形態】
図１〜図４に基づいて本発明に係るディスクケースの一例を説明する。
【０００７】
図１は展開状態を示す平面図である。本ディスクケースは、一般的には厚紙で構成されるもので、図１中、中央が下蓋部１、左側が上蓋部２、右側が収納部３である。
【０００８】
上蓋部２は下蓋部１の一端に連接されていて、下蓋部１上へ折り返して重ねることができるものとなっている。図中８ａが、上蓋部２を下蓋部１上へ折り返して重ねる時の折り返しラインである。また、上蓋部２のほぼ中央部には、円形の外窓９ａが形成されている。
【０００９】
上記上蓋部２の連接側と対向する下蓋部１の他端には、収納部３が連接されている。この収納部３は、中央の受け部５と、収納部３の下蓋部１上への折り返し方向に対して受け部３の両側に位置する保持部６，６とから構成されており、受け部５を介して下蓋部１に連接されている。また、収納部３は、折り返しライン８ｂを介して下蓋部１上へ折り返すことができるものとなっている。
更にこの収納部３について説明する。
【００１０】
受け部５はディスク４が載置される部分で、その両側に位置する保持部６，６は、受け部５上へ折り返されることで、受け部５上に載置されたディスク４を押えるものである。図中８ｃ，８ｃは、保持部６，６を受け部３上へ折り返す時の折り返しラインで、この折り返しライン８ａ，８ｂ間の間隔はディスク４の直径よりやや小さくなっている。
【００１１】
収納部３のほぼ中央部分には、後述するように、収納部３を下蓋部１上に折り返し、更に上蓋部２を下蓋部１上に折り返した時にほぼ重なる円形の内窓９ｂが設けられている。また、収納部３の受け部５上に載置されるディスク４の外周に沿って、保持部６，６を受け部５上へ折り返す時の折り返しライン８ｃ，８ｃから保持部６，６側に膨出する弧状に、ディスク止め手段であるスリット７，７が設けられている。このディスク止め手段は、ディスクのずれを防止して、ディスク４を載置位置に止めておくためのもので、図示されるスリット７，７の場合、ディスク４がスリット７，７に差し込まれた状態となることでそのずれが防止されるものである。
【００１２】
次に、図１〜図４に基づいて、本ディスクケースへのディスク４の収納手順を説明する。
【００１３】
まず、図１に一点鎖線で示される位置にディスク４を置く。即ち、内窓９ｂを同心円状に覆い、外周縁がスリット７，７に沿って位置するようにディスク４を置く。
【００１４】
次に、両保持部６，６を折り返しライン８ｃ，８ｃを介して受け部５上へ折り返し、載置したディスク４を上方から押える。この状態が図２の状態で、両保持部６，６を受け部５上へ折り返すことで、自動的にディスク４の一部がスリット７，７に差し込まれた状態となる。ディスク４の図中左右方向へのずれは、ディスク４がスリット７，７へ差し込まれた状態となることで防止され、ディスク４の図中上下方向へのずれは、折り返された両保持部６，６で防止される。従って、ディスク４は所定の載置位置に保持されることになる。
【００１５】
上記のように両保持部６，６を受け部５上へ折り返した後、図３に示されるように、収納部３全体を折り返しライン８ｂを介して下蓋部１上へ折り返す。ところで、両保持部６，６の下蓋部１側端部と下蓋部１間は単なる切り込みでもよいが、図１に明示されるように、２ｍｍ以上の幅の隙間１０を形成しておくことが好ましい。これは、図２に示されるように、両保持部６，６を下蓋部１上へ折り返した時に、両保持部６，６の端部と折り返しライン８ｂの間に隙間１０をもたせ、収納部３全体を折り返しライン８ｂを介して下蓋部１上へ折り返す時に、両保持部６，６の端部が下蓋部１の上面に当接してこの折り返しがしにくくなるのを防止するためのものである。
【００１６】
両保持部６，６を受け部５上へ折り返して図３に示される状態とした後、更に上蓋部２を下蓋部１上へ折り返して重ね、上蓋部２と下蓋部１の間に収納部３を挟み込む。この状態の平面図が図４（ａ）、概略正面図が図４（ｂ）である。この状態では、図３に示される上蓋部２の外窓９ａと収納部３の内窓９ｂはほぼ重なり、外窓９ａと内窓９ｂを介して、収納されているディスク４を外から確認することができる。外窓９ａと内窓９ｂは必須のものではないが、本ディスクケース内に収容されたディスク４の存在を外部から確認できるようにするために、設けることが好ましい。この外窓９ａと内窓９ｂは、通常は同じ大きさの円孔として形成されるが、ディスク４が飛び出さない範囲で、両者の大きさや形状を相違したものとしたり、三角形、四角形、その他の形状とすることもできる。また、外窓９ａと内窓９ｂの一方又は両者をプラスチックシートやフィルム等の透明材料で覆い、収納されるディスク４の保護を図ることもできる。
【００１７】
図４（ｂ）に明示される上蓋部２の自由端側を下蓋部１（収納部３）上に重ね、この自由端側を雑誌や書籍に綴じ込むことで、ディスク４の包み込みに特に接着剤を使用することなく、ディスク４を雑誌や書籍に付帯させることができる。雑誌や書籍への綴じ込みは、例えばアジロ綴や無線綴で行うことができる。
【００１８】
上記のようにして雑誌や書籍に綴じ込まれた本ディスクケースの両側部は、上蓋部２と下蓋部１が重なり合っただけの状態で、接着剤もしくは粘着剤による封止は行われていない。しかし、側部から上蓋部２と下蓋部１の間に指等をこじ入れても、収納部３のディスク４の両側には保持部６，６が被さっており、ディスク４を抜き取ることはできない状態となっている。また、同様の理由から、持ち運び時のディスク４の脱落も生じる恐れがないものである。特に保持部６，６がディスク４に深く被さっている程、このようなディスクケース側部からのディスク４の抜き取り阻止や脱落の防止が確実になることから、保持部６，６のディスク４上への被さり幅は夫々ディスク４の半径の１／２以上で直径以下（好ましくは半径以下）であることが好ましい。
【００１９】
雑誌や書籍に綴じ込まれた本ディスクケースを雑誌や書籍から容易に取り外せるよう、綴じ込み側に沿って、下蓋部１と上蓋部２を貫通するミシン目や切れ目等を設けておくことができる。また、下蓋部１や上蓋部２をを切り開いて開封しやすくするための開封用のミシン目や切れ目を下蓋部１や上蓋部２に設けておくこともできる。
【００２０】
更に、本ディスクケースを雑誌や書籍に綴じ込む場合について説明する。
【００２１】
本ディスクケースを雑誌や書籍に綴じ込む場合、図５に示されるように、開封部１８を設けることが好ましい。この開封部は２条のミシン目や切れ目に挟まれた帯状部分で、中央から左右に引き剥して開封できるようになっている。図５においては、開封部１８が下蓋部１に設けられているが、これは上蓋部２に設けてもよい。また、両保持部６の下蓋部１寄りには、ミシン目や切れ目である切り離しライン１９が形成されている。この切り離しライン１９の役割については後述する。
【００２２】
上記図５に示されるディスクケースは、上記開封部１８及び切り離しライン１９を有する点以外は図１のものと同様で、図１のものと同様に折りたたまれ、最終的に図６（ｂ）に明示される上蓋部２の自由端側を下蓋部１（収納部３）上に重ね、この自由端側を雑誌や書籍に綴じ込むことで、ディスク４を包み込んで雑誌や書籍に付帯させることができるものである。このとき、図６（ａ）に斜線で示されるように、上蓋部２の自由端側に綴じ込み代２０がとられるが、保持部６の下蓋部１寄りの端部をこの綴じ込み代２０内に位置させ、これも共に綴じ込んでしまうことが好ましい。図５に示される開封部１８を左右に引き剥して下蓋部１と上蓋部２を分離し、開封した状態が図７であるが、この図７に明示されるように、上記綴じ込みによって保持部６がディスク４上に被さった状態に維持され、ディスク４の保持力が一層向上する。従って、本ディスクケースを比較的薄く柔軟な紙で構成した時でも、上蓋部２と下蓋部１の間に指等をこじ入れることによるディスク４の抜き取りや、持ち運び時のディスク４の脱落を防止することができる。
【００２３】
ところで、図７の状態では、保持部６の一端（図中下側）が雑誌や書籍に綴じ込まれているため、保持部６を開いてディスク４を取り出しにくい。保持部６に設けられている切り離しライン１９は、これに沿って保持部６を切断することで綴じ込みから保持部６を開放し、保持部６を開きやすくするためのものである。この切り離しライン１９は必須のものではないが、上記綴じ込みを行う場合、ディスク４を取り出しやすくする上で設けることが好ましい。
【００２４】
比較的厚く腰の強い紙で本ディスクケースを構成する場合、図８に示されるように、保持部６と下蓋部１間の隙間１０を広くとり、図９に示されるように、綴じ込み代２０に保持部６がかからないようにすることもできる。この場合、図８に示される開封部１８を左右に引き剥して開封した状態が図１０に示される状態で、保持部６は綴じ込まれていないフリーな状態であるので、直ちに保持部６を開いてディスク４を取り出すことができる。
【００２５】
尚、図５〜図１０において、図１と同じ符号は図１と同じ構成部材を示すものである。
【００２６】
図１のディスクケースにおけるディスク止め手段は、折り返しライン８ｃ，８ｃから保持部６，６側に膨出する弧状のスリット７，７となっている。しかし、本発明のディスク止め手段はこれに限定されるものではなく、保持部６，６を受け部５上側に折り返した状態で、受け部５上のディスク４が図中左右方向へのずれるのを防止できるものであればよい。
【００２７】
上記弧状のスリット７，７は、ディスク４を直に本ディスクケースに収納する場合に適したものである。一方、ディスク４は、矩形の袋１１（図５参照）に入れて本ディスクケースに収納する場合もある。この場合に上記弧状のスリット７，７をディスク止め手段として用いても大きな支障はないが、収納作業を容易にする上で、図１１に示されるような鉤形のスリット７，７をディスク止め手段として用いることが好ましい。以下、ディスク止め手段の他の例である鉤形のスリット７，７について説明する。
【００２８】
図１１に示されるように、ディスク４は矩形の袋１１に収容されている。この袋１１は、ディスク４を保護するためのもので、どのようなものでも差し支えないが、一般的には片面が透明なプラスチックフィルムで他面が不織布で構成されたものが用いられる。このプラスチックフィルムと不織布からなる袋に収容したディスク４を受け部５に載置する場合、内窓９ｂからプラスチックフィルムを介してディスク４を確認できるよう、プラスチックフィルム側を受け部５と向き合わせて載置することになる。
【００２９】
保持部６，６を受け部５上へと折り返す時の折り返しライン８ｃ，８ｃ間の間隔は、ディスク４の直径より少し狭くなっている。また、スリット７，７は、ディスク４を収容した袋１１のコーナー部外周に沿って、保持部６，６の受け部３上への折り返しライン８ｃ，８ｃから保持部６，６側に突き出た鉤形に形成されている。即ち、ディスク４を収容した袋１１は、鉤形のスリット７，７にそのコーナー部を沿わせるべく、図１１においてコーナー部を上下に位置させて載置されるものである。
【００３０】
上記図１１に示されるような位置に、ディスク４を収容した袋を置いた後、図１２に示されるように、両保持部６，６を受け部５上へ折り返すと、自動的に袋１１のコーナー部及びディスク４の一部がスリット７，７に差し込まれた状態となる。ディスク４の図中左右方向へのずれは、袋１１のコーナー部及びディスク４の一部がスリット７，７へ差し込まれた状態となることで防止され、ディスク４の図中上下方向へのずれは、折り返された両保持部６，６で防止されることから、ディスク４は所定の載置位置に保持されることになる。
【００３１】
図１に示される弧状のスリット７，７を有するディスクケースに上記袋１１入りのディスク４を収納しようとすると、袋１１の一部が折り畳まれたりしわ寄せられやすい。これに対して上記鉤形のスリット７，７とすると、袋１１をほぼ置いた状態のまま無理な力を加えることなく収納することができ、収納作業が容易となる。
【００３２】
本発明におけるディスク止め手段は、図１３に示されるようなコ字形のスリット７，７で構成することもできる。このコ字形のスリット７，７は、開口部をディスク４側に向け、中央部がディスク４の周縁近くに位置し、両端がディスク４側に延出した状態で形成されているもので、図１４に示されるような状態でディスク４を係止するものである。
【００３３】
更に、本発明のディスク止め手段としては、図１５に示されるような爪部１２を用いることもできる。即ち、受け部５上へ折り返した時にディスク４側となる保持部６，６の側辺に爪部１２を設けておき、保持部６，６を受け部５上へ折り返した時に、図１６に示されるように爪部１２をディスク４の下へ差し込むことで、ディスク４のずれを係止することができる。
【００３４】
尚、図５〜図８において、図示されていない下蓋部１及び上蓋部２部分は図１と同様である。
【００３５】
次に、下蓋部１と収納部３間の連接部分についての他の例を図１７及び図１８に基づいて説明する。
【００３６】
前述した図１のディスクケースの場合、収納部３を下蓋部１上へ折り返す時の折り返しライン８ｂは下蓋部１の収納部３側端辺とほぼ一直線上に形成されている。これに対して図１７のディスクケースの場合、収納部３を下蓋部１上へ折り返す時の折り返しライン８ｂが下蓋部１の内側へやや食い込んでいる。即ち、受け部５が下蓋部１のやや内側まで食い込んで形成されており、この受け部５の下蓋部１側の端縁が折り返しライン８ｂとなっている。尚、その他の構成は図１に示されるディスクケースと同様で、図１と同じ符号は同じ構成部位を示すものである。
【００３７】
上記図１７のディスクケースについて、図２及び図３で説明したように、ディスク４を載置した後、保持部６，６を受け部５上へ折り返し、更に収納部３全体を下蓋部１上へ折り返した状態（図３に対応する状態）が図１８の状態である。図面から明らかなように、図面上、下蓋部１の上下の部分より中央の部分（下蓋部１と収納部３の連接部分）が凹んだ状態となる。即ち、折り返しライン８ｂが下蓋部１の内側へ食い込んでいる量だけ、下蓋部１の上下の部分より中央の部分（下蓋部１と収納部３の連接部分）が凹んだ状態となる。
【００３８】
上記のような下蓋部１と収納部３の連接状態は、特に無線綴を行う場合に有利である。即ち、無線綴の場合、丁合いされて１冊の本にまとめられた中身の背の部分を２．５〜３ｍｍ程度の幅でミーリングカットして１枚単位に切り離し、そのカットした部分に接着剤を塗布して製本することになるが、上記のように下蓋部１と収納部３の連接部分が凹んでいると、ミーリングカット時に、この連接部が切り離されてしまうことを防止することができる。従って、下蓋部１の内側への折り返しライン８ｂの食い込み量、換言すると下蓋部１の内側への受け部３の食い込み量は、ミーリングカットの幅よりやや大きめに設定しておくことが好ましい。
【００３９】
更に、図１９〜図２２に基づいて、本発明に係るディスクケースの他の例を説明する。
【００４０】
図１９に示されるように、下蓋部１を中央にして左右に上蓋部２と収納部３が連接されており、上蓋部２と収納部３に外窓９ａと内窓９ｂが設けられている点は図１で説明したディスクケースと同様であるが、収納部３の構成が図１のディスクケースとは相違している。この相違点について更に説明する。
【００４１】
収納部３の下蓋部１側の端辺全体が下蓋部１と連接されており、図１に示されるような隙間１０は有さない構成となっている。また、保持部６，６は、折り返しライン８ｃを構成するディスク４側の１辺を残して他の３辺を切り込むことで形成されており、収納部３の外周回りには外枠部１３と押え部１４が残されている。押え部１４は、折り返しライン８ｄを介して受け部５上へ折り返されるものである。尚、ディスク止め手段であるスリット７，７は図１のものと同様で、これは図１１〜図１６で説明した鉤形スリット７，７、コ字形スリット７，７、爪部１２に置き換えることもできる。
【００４２】
次に、図１９〜図２２に基づいて、本ディスクケースへのディスク４の収納手順を説明する。
【００４３】
図１９に示されるような位置にディスク４を載置し、折り返しライン８ｃ，８ｃを介して保持部６，６を受け部５上に折り返し、保持部６，６でディスク４を押え、図２０に示される状態とする。この手順は図１から図２への手順と同じである。尚、図２０における１５は、保持部６，６を受け部５上へ折り返すことで形成される抜き穴である。
【００４４】
上記のように保持部６，６を受け部５上に折り返した後、図２１に示されるように、押え部１４を折り返しライン８ｄを介して受け部５上へ折り返し、押え部１４で保持部６，６を上から押さえ付ける。これによって、保持部６，６をディスク４から離れにくくすることができ、ディスク４の保持効果を高めることができる。
【００４５】
押え部１４を受け部５上へ折り返した後の手順は図１のディスクケースと同様で、収納部３全体を下蓋部１上へ折り返して図２２に示される状態とし、図示はされていないが更に上蓋部を下蓋部１上へ折り返した後、前述と同様にして雑誌や書籍に綴じ込まれるものである。特に本ディスクケースの場合、保持部６，６が押え部１４で押えられているので、保持部６，６によるディスク４の保持が一層確実になる。加えて、綴じ込まれた本ディスクケースの側部から指をこじ入れようとした時に、外枠部１３が存在することから、深く指を入れにくく、ディスク４の抜き取り防止効果も向上する。
【００４６】
図１９のディスクケースのような押え部１４は、図１のディスクケースにも設けることができる。即ち、図２３に示されるようにして押え部１４を設けることができる。尚、図２３において、図１と同じ符号は図１と同じ構成部材を示すものである。
【００４７】
本発明に係るディスクケースは、これまで説明したような１枚のディスク４を収納するもののみではなく、複数枚のディスク４を収納できるものとすることができる。例えば、図２４に示されるように、１つの下蓋部１に対して２つの収納部３が並列して夫々連接すれば、同時に２枚のディスクを収納できるディスクケースとすることができる。また、図２４に示されるディスクケースは図１に示されるディスクケースの収納部３を２つ設けたものとなっているが、図１９に示されるディスクケースの収納部３を２つ設けたものとすることもでき、更には３つ以上の収納部３を設けたものとすることもできる。尚、図２４において、図１と同じ符号は図１と同じ構成部材を示すものである。
【００４８】
本発明に係るディスクケースは、図２５に示されるように、掩蓋片２１，２１を有するものとすることもできる。この掩蓋片２１，２１は、折り返しライン８ｅ，８ｅを介して下蓋部１の両側に設けられているもので、両端部に外方に突出した突出部２２，２２を有している。この図２５のディスクケースについて、図２及び図３で説明したように、ディスク４を載置して保持部６，６を受け部５上へ折り返し、更に収納部３全体を下蓋部１上へ折り返した後、掩蓋片２１，２１を下蓋部１上の収納部３上へと折り返して、その突出部２２，２２を収納部３の下方へ差し込んだ状態が図２６の状態である。図２６から明らかなように、掩蓋片２１，２１は、折り返しライン８ｅ，８ｅを介して、下蓋部１上の収納部３上へと折り返した時に、その外側縁の中央部分がディスク４の外周縁部分に相当する受け部５の突出部分に引っ掛かり、両端部の突出部２２，２２が収納部３の下側に差し込まれることで、収納部３を挟むようにして抱えるものである。
【００４９】
上記のような掩蓋片２１，２１を設けると、収納部３と下蓋部１の間に指等をこじ入れることができなくなるので、ディスク４の抜き取り防止効果を向上させることができる。
【００５０】
掩蓋片２１，２１は、図２７及び図２８に示されるように、突出部２２，２２（図２５参照）がなく、下蓋部１上に折り返された収納部３上に被さるだけのものとすることもできる。この掩蓋片２１，２１を収納部３上に被せて抱えさせるだけでも、掩蓋片２１，２１を引き起こさなければ保持部３と下蓋部１の間に指等をこじ入れることができないので、ディスク４の抜き取り防止効果を向上させることができる。特に、雑誌や書籍に綴じ込む時に、図６及び図７で説明した保持部６と同様に、掩蓋片２１，２１の一端部を綴じ込み代２０（図６、図７参照）内に位置させて、これを綴じ込んでしまうと、掩蓋片２１，２１が保持部３上に被さった状態に維持されるので、上記抜き取り防止効果を一層高めることができる。このときも、図６及び図７で説明した保持部６と同様に、掩蓋片２１，２１にも切り離しラインを設けておくと開封しやすくできる。
【００５１】
以上の各例は、いずれも雑誌や書籍に綴じ込む場合に便利なものであるが、本発明のディスクケースはこのような綴じ込み用だけでなく、通常の保護ケースとしても応用することができる。この場合、間に収納部３を挟んで重ね合わされた下蓋部１と上蓋部２が開いてしまわないよう、両者間を止める蓋止め手段を設けることが好ましい。この蓋止め手段としては、例えば図１７に示されるように、上蓋部２に設けた舌片１６と、下蓋部１に設けた差し込み口１７を用いることができる。舌片１６を差し込み口１７に差し込んでおくことで、下蓋部１と上蓋部２が開いてしまうのを防止することができる。
【００５２】
【発明の効果】
本発明は、以上説明した通りのものであり、次の効果を奏するものである。
【００５３】
（１）接着剤による封止を行うことなくディスク４を収納できるので、ディスク４の収納に際して接着剤の塗布工程が不要であり、収納作業が容易である。
【００５４】
（２）ディスク４は保持部６，６が被さった状態で収納部３内にしっかり保持されるので、持ち運び時のディスク４の脱落や書店店頭でのディスク４の抜き取りを確実に防止することができる。特に保持部６，６の一端を綴じ込み代２０内に位置させて綴じ込んでしまうことで、この効果を一層高めることができる。
【００５５】
（３）ディスク止め手段を選択することで、むき出しのディスク４であるか袋１１入りのディスク４であるかを問わず、簡単かつ確実に収納することができる。
【００５６】
（４）収納部３の下蓋部１上への折り返しライン８ｂを下蓋部１の内側にやや食い込んだ位置に形成しておくことで、ミーリングカットを伴う無線綴を行う場合でも、このミーリングカットによって連接部が分断されないディスクケースとすることができる。
【００５７】
（５）複数の収納部３を連接することで、一度に複数のディスク４を収納できるディスクケースとすることもできる。
【００５８】
（６）掩蓋片２１，２１を設けると、持ち運び時のディスク４の脱落や書店店頭でのディスク４の抜き取りを一層確実に防止することができる。
【００５９】
（７）容易に通常の保護ケースとしても利用できる。
【図面の簡単な説明】
【図１】本発明に係るディスクケースの一例を示す展開平面図である。
【図２】図１の状態から保持部を受け部上へ折り返した状態を示す図である。
【図３】図２の状態から収納部を下蓋部上へ折り返した状態を示す図である。
【図４】図３の状態から上蓋部を下蓋部上へ折り返した状態を示す図である。
【図５】雑誌や書籍への綴じ込み用のディスクケースとする場合の一具体例を示す展開平面図である。
【図６】図５のディスクケースを図２及び図３に相当する状態を経て、上蓋部を下蓋部上へ折り返した状態を示す図である。
【図７】雑誌や書籍に綴じ込まれた図５のディスクケースを開封した状態を示す斜視図である。
【図８】雑誌や書籍への綴じ込み用のディスクケースとする場合の他の具体例を示す展開平面図である。
【図９】図８のディスクケースを図２及び図３に相当する状態を経て、上蓋部を下蓋部上へ折り返した状態を示す図である。
【図１０】雑誌や書籍に綴じ込まれた図８のディスクケースを開封した状態を示す斜視図である。
【図１１】鉤形スリットをディスク止め手段とする場合を示す図である。
【図１２】図１１の状態から保持部を受け部上へ折り返した状態を示す図である。
【図１３】コ字形スリットをディスク止め手段とする場合を示す図である。
【図１４】図１４の状態から保持部を受け部上へ折り返した状態を示す図である。
【図１５】爪部をディスク止め手段とする場合の例を示す図である。
【図１６】図１５の状態から保持部を受け部上へ折り返し、爪部をディスクの下へ差し込んだ状態を示す図である。
【図１７】下蓋部と収納部間の連接部分の他の例を示す図である。
【図１８】図１７の状態から保持部を受け部上に折り返し、更に収納部を下蓋部上へ折り返した状態を示す図である。
【図１９】本発明に係るディスクケースの他の例を示す展開平面図である。
【図２０】図１９の状態から保持部を受け部上へ折り返した状態を示す図である。
【図２１】図２０の状態から押え部を受け部上へ折り返した状態を示す図である。
【図２２】図２１の状態から収納部を下蓋部上へ折り返した状態を示す図である。
【図２３】図１９に示される押え部を図１のディスクケースに設ける場合の説明図である。
【図２４】複数の収納部を有するディスクケースの一例を示す展開平面図である。
【図２５】掩蓋片を有するディスクケースの一例を示す展開平面図である。
【図２６】図２５の状態から保持部を受け部上に折り返した後、収納部を下蓋部上へ折り返し、更に掩蓋片を収納部側へ折り返して、突出片を収納部の下側へ差し込んだ状態を示す図である。
【図２７】掩蓋片を有するディスクケースの他の例を示す展開平面図である。
【図２８】図２７の状態から保持部を受け部上に折り返した後、収納部を下蓋部上へ折り返した状態を示す図である。
【図２９】蓋止め手段の一例を示す図である。
【符号の説明】
１    下蓋部
２    上蓋部
３    収納部
４    ディスク
５    受け部
６    保持部
７    スリット
８ａ  折り返しライン
８ｂ  折り返しライン
８ｃ  折り返しライン
８ｄ  折り返しライン
８ｅ  折り返しライン
９ａ  外窓
９ｂ  内窓
１０  隙間
１１  袋
１２  爪部
１３  外枠
１４  押え部
１５  抜き穴
１６  舌片
１７  差し込み口
１８  開封部
１９  切り離しライン
２０  綴じ込み代
２１  掩蓋片
２２  突出片
【図１】
0003595072.tif 000002
【図２】
0003595072.tif 000003
【図３】
0003595072.tif 000004
【図４】
0003595072.tif 000005
【図５】
0003595072.tif 000006
【図６】
0003595072.tif 000007
【図７】
0003595072.tif 000008
【図８】
0003595072.tif 000009
【図９】
0003595072.tif 000010
【図１０】
0003595072.tif 000011
【図１１】
0003595072.tif 000012
【図１２】
0003595072.tif 000013
【図１３】
0003595072.tif 000014
【図１４】
0003595072.tif 000015
【図１５】
0003595072.tif 000016
【図１６】
0003595072.tif 000017
【図１７】
0003595072.tif 000018
【図１８】
0003595072.tif 000019
【図１９】
0003595072.tif 000020
【図２０】
0003595072.tif 000021
【図２１】
0003595072.tif 000022
【図２２】
0003595072.tif 000023
【図２３】
0003595072.tif 000024
【図２４】
0003595072.tif 000025
【図２５】
0003595072.tif 000026
【図２６】
0003595072.tif 000027
【図２７】
0003595072.tif 000028
【図２８】
0003595072.tif 000029
【図２９】
0003595072.tif 000030